(57)【特許請求の範囲】
【請求項１】
上下に張り渡したガイドロープと、
前記ガイドロープを上方で支持する第１の支持手段、並びに下方で支持する第２の支持手段と、
下方が開口した中空の筒体又は筒状に形成された枠体からなり、前記ガイドロープに係合する係合部を外周部に有し、前記ガイドロープに沿って上方から下方に落下する移動体と、
前記移動体を上方で支持する一方、その支持を解除する支持解除機構を備えた第３の支持手段と、
前記移動体を上方に引き上げる引上手段と、
落下する前記移動体を受け止める受止手段と、
前記移動体の落下行程下端位置に設けられ、前記移動体が落下した際、該移動体の中空部に収まる遊戯者保持用の保持具とを備えてなることを特徴とする遊戯用設備。
【請求項２】
上下に張り渡したガイドロープと、
前記ガイドロープを上方で支持する第１の支持手段、並びに下方で支持する第２の支持手段と、
下方が開口した中空の筒体又は筒状に形成された枠体からなり、前記ガイドロープに係合する係合部を外周部に有し、前記ガイドロープに沿って上方から下方に落下する移動体と、
前記移動体を上方で支持する一方、その支持を解除する支持解除機構を備えた第３の支持手段と、
前記移動体を上方に引き上げる引上手段と、
落下する前記移動体を受け止める受止手段と、
前記移動体の落下行程下端位置に設けられ、前記移動体が落下した際、該移動体の中空部に収まり、内部に収容した遊戯者を保護する保護枠体とを備えてなることを特徴とする遊戯用設備。
【請求項３】
前記移動体の中空部内に複数の風船を備えてなる請求項１又は２記載の遊戯用設備。
【請求項４】
上下に張り渡したガイドロープと、
前記ガイドロープを上方で支持する第１の支持手段、並びに下方で支持する第２の支持手段と、
複数の釣り針状の湾曲部材からなり、針先を下方に向け、且つ針先とは反対側の基部が収束されて全体として放射状を成すように構成されると共に、前記ガイドロープに係合する係合部を有し、前記ガイドロープに沿って上方から下方に落下する移動体と、
前記移動体を上方で支持する一方、その支持を解除する支持解除機構を備えた第３の支持手段と、
前記移動体を上方に引き上げる引上手段と、
前記移動体の各湾曲部材の針先に対応して設けられ、落下する前記移動体を受け止める受止手段とを備えてなることを特徴とする遊戯用設備。
【請求項５】
上下に張り渡したガイドロープと、
前記ガイドロープを上方で支持する第１の支持手段、並びに下方で支持する第２の支持手段と、
複数の釣り針状の湾曲部材からなり、針先を下方に向け、且つ針先とは反対側の基部が収束されて全体として放射状を成すように構成されると共に、前記ガイドロープに係合する係合部を有し、前記ガイドロープに沿って上方から下方に落下する移動体と、
前記移動体を上方で支持する一方、その支持を解除する支持解除機構を備えた第３の支持手段と、
前記移動体を上方に引き上げる引上手段と、
落下する前記移動体を受け止める受止手段と、
前記移動体の落下行程下端位置に設けられ、前記移動体が落下した際、該移動体の各湾曲部材の内側に収まり、内部に収容した遊戯者を保護する保護枠体とを備えてなることを特徴とする遊戯用設備。
【発明の詳細な説明】
【０００１】
【産業上の利用分野】
本発明は遊園地や公園等の行楽, 歓楽地に設置して好適な遊戯用設備に関する。
【０００２】
【従来の技術】
遊園地等に娯楽を目的とした各種遊戯施設が設置されているのは周知の通りである。例えば、水平に設けた回転支軸にアームを設け、当該アームに座席を取り付けて構成したトップスピン, トマホークと呼ばれる遊戯装置が知られている。これらの装置によれば、前記回転支軸を中心に前記座席が垂直面内で回転、即ち円運動する。而して、座席に搭乗した遊戯者は、上昇時に重力（Ｇ）を体感し、降下時に無重力感を体感し、日常生活では到底味わうことのできない特異な感覚を手軽に体感できることから、当該装置は若年層をはじめとして多くの人の人気を集めている。また、遊戯者にスピード感やスリル感を味わわせる乗物としてジェットコースタ等もよく知られている。そして近年では、更にスピード感やスリル感の増した乗物として宙返り部や急反転部を設けたものが提案されており、これも日常生活では到底味わうことのできない特異な感覚を手軽に体感できることから、若年層をはじめとして多くの人の人気を集めている。
【０００３】
【発明が解決しようとする課題】
しかしながら、近年、若者の間では趣味感や価値観が多様化し、従来にない感覚を体感できる遊戯施設が求められている。
本発明はかかる実情の下なされたものであり、従来の装置では到底味わうことのできないスリル感を味わうことのできる遊戯用設備の提供を目的とする。
【０００４】
【課題を解決するための手段】
上記目的を達成するための、本発明の請求項１に係る発明は、上下に張り渡したガイドロープと、前記ガイドロープを上方で支持する第１の支持手段、並びに下方で支持する第２の支持手段と、下方が開口した中空の筒体又は筒状に形成された枠体からなり、前記ガイドロープに係合する係合部を外周部に有し、前記ガイドロープに沿って上方から下方に落下する移動体と、前記移動体を上方で支持する一方、その支持を解除する支持解除機構を備えた第３の支持手段と、前記移動体を上方に引き上げる引上手段と、落下する前記移動体を受け止める受止手段と、前記移動体の落下行程下端位置に設けられ、前記移動体が落下した際、該移動体の中空部に収まる遊戯者保持用の保持具とを備えてなることを要旨とする。
【０００５】
また、請求項２に係る発明は、請求項１の発明の前記保持具に代えて、前記移動体が落下した際、該移動体の中空部に収まり、内部に収容した遊戯者を保護する保護枠体を設けたことを要旨とし、請求項３に係る発明は、前記請求項１又は２の発明の前記移動体の中空部内に複数の風船を配したことを要旨とする。
【０００６】
また、請求項４に係る発明は、請求項１の発明の前記移動体が、複数の釣り針状の湾曲部材から構成され、針先を下方に向け、且つ針先とは反対側の基部が収束されて全体として放射状を成すように構成されると共に、前記移動体を受け止める受止手段が、前記移動体の各湾曲部材の針先に対応して設けられたことを要旨とし、請求項５に係る発明は、請求項１の発明の前記移動体が、複数の釣り針状の湾曲部材から構成され、針先を下方に向け、且つ針先とは反対側の基部が収束されて全体として放射状を成すように構成されると共に、前記移動体が落下した際、該移動体の各湾曲部材の内側に収まり、内部に収容した遊戯者を保護する保護枠体を前記移動体の落下行程下端位置に設けたことを要旨とする。
【０００７】
【作用及び効果】
本発明によれば、まず、引上手段を駆動して移動体を上方に引き上げ、当該移動体を第３の支持手段に支持せしめた後、遊戯者を移動体の下方に配する。しかる後、第３の支持手段の支持解除機構を駆動して、当該第３の支持手段の支持を解除せしめる。これにより、移動体はガイドロープに沿って下方に自由落下する。そして下方に設けた受止手段により移動体が受け止められる。以上により、遊戯者は落下する移動体が自身に衝突するというスリル感を感じる。
【０００８】
また、遊戯者が保持具により保持された状態又は保護枠体内に収容された状態で移動体が落下し、移動体の落下行程下端位置で遊戯者は移動体の中空部に収まる。而して、落下する移動体に遊戯者が衝突することはなく、安全であり、移動体が遊戯者自身に覆い被さることで遊戯者は言いしれぬ恐怖感を覚える。また、移動体の中空部内に風船を設ければ、移動体内に遊戯者が収まった際、遊戯者が弾力性のある風船に接触するので遊戯者にとって安全であり、しかも遊戯者は前記スリル感に加わった多様な感覚を体感する。
【０００９】
また、移動体を釣り針状の湾曲部材で構成すれば、遊戯者の感じる恐怖感は相当なものとなる。更にこの場合において、各湾曲部材の先端に対応した複数の受止手段を設ければ、受け止めた際の各湾曲部材にかかる負荷が少なく、バランス的にも安定して当該移動体を受け止めることができる。また、内部に遊戯者を収容する保護枠体を、移動体が落下した際に、その各湾曲部材の内側に収まるように設ければ、移動体を落下させて、これがその下端位置に達したとき、保護枠体は、各湾曲部材の内側に収まる。而して、落下する移動体に遊戯者が衝突することはなく、安全であり、移動体が遊戯者自身を覆い被さることで遊戯者は言いしれぬ恐怖感を覚える。
【００１０】
【実施例】
以下、本発明の実施例について添付図面に基づき説明する。
【００１１】
（実施例１）
本発明の実施例１に係る遊戯用設備を説明するに当たり、これに先立って、まず、図１及び図２を用い、本発明の一部構成に対応した参考例１に係る遊戯用設備を説明する。同図に示すように、この遊戯用設備は、第１の支持手段（１）と、引上手段及び第３の支持手段（４）と、ガイドロープ（１３）と、移動体（９）と、受止手段（１４）と、第２の支持手段（１８）と、枠体（１９）とを備えてなる。
【００１２】
前記第１の支持手段（１）はアーム（３）と、支持バー（２）とを備えてなり、図示する如くこのアーム（３）と支持バー（２）とをＴ字状に連結し、支持バー（２）を図示しない支持構造体の高所に接続している。そして、２本の前記ガイドロープ（１３）の各一端を前記アーム（３）の各端部に固設している。尚、第１の支持手段（１）の構造はガイドロープ（１３）の一端を所定の高所に支持するものであれば良く、図示する構造に限定されるものではない。
【００１３】
また、前記引上手段及び第３の支持手段（４）は前記移動体（９）を上方に引き上げ、支持するもので、引上ロープ（５）と、滑車（６）と、係合リング（７）と、図示しないウインチ等巻上装置を備えてなるものであり、引上手段と第３の支持手段とを特に明確に区別することなく一体的に設けたものである。滑車（６）は前記支持バー（２）とアーム（３）との交差部の下部に設けたもので、前記巻上装置（図示せず）から繰り出した引上ロープ（５）を当該滑車（６）に掛けており、この引上ロープ（５）の先端に係合リング（７）を設けている。この係合リング（７）は特に機構を明示しないが、ワイヤロープ等で引くことによりリング部が開く（図２）支持解除機構（８）を備えている。尚、引上手段と第３の支持手段とを別個に設けた構成としても良い。
【００１４】
前記ガイドロープ（１３）は、上述したように一端を前記アーム（３）に固設したものであり、その他端を前記第２の支持手段（１８）により、下方の所定位置（フロア等）に固設し、所定の張力を付与している。また、当該ガイドロープ（１３）は耐磨耗性に富んだものが好ましい。尚、第２の支持手段（１８）はアンカー等を適宜使用し得る。
【００１５】
前記移動体（９）は図１に示すように、釣り鐘を逆さまにしたような形状を有するもので、外周側部に係合部（１０）を備え、外周底面に先端が先鋭となった突起（１２）を備えている。また、内部に吊下用部材（１１）を備え、外面下端部に当接部材（９ａ）備えている。前記係合部（１０）は円筒状をした部材であり、少なくとも内面が耐磨耗性に富んでいるものであることが好ましい。また、吊下用部材（１１）は先端にリングを備えるものであり、当該リング部が前記係合リング（７）と係合している。また、移動体（９）は柔らかく、弾性に富み且つ、軽い材質で構成するのが好ましが、見かけは硬く、且つ重く見えるものが好ましい。尚、移動体（９）の形状が図示したものに限られないことは言うまでもない。
【００１６】
前記受止手段（１４）は前記移動体（９）の下方のフロア等に設けたものであり、上部部材（１５）と、下部部材（１７）とバネ（１６）とからなる。下部部材（１７）は円筒状の部材であり、上部部材（１５）の軸部を下部部材（１７）の円筒内に嵌挿し、且つバネ（１６）を上部部材（１５）と下部部材（１７）との間に設けている。而して、上部部材（１５）が矢示Ａ方向に移動すると、バネ（１６）が縮むようになっている。尚、バネ（１６）が最も縮んだときの上部部材（１５）の上端が、少なくとも遊戯者（Ｙ）の身長よりも高くなるように当該受止手段（１４）を設けている。
【００１７】
前記枠体（１９）は受止手段（１４）を囲むように設けたものであり、この中に遊戯者（Ｙ）を収容する。
【００１８】
以上の構成を備えた遊戯用設備によれば、まず、巻上装置を駆動して引上ロープ（５）を引き出すとともに、支持解除機構（８）を操作して係合リング（７）と吊下用部材（１１）のリング部を係合せしめる。しかる後、巻上装置を再び駆動して引上ロープ（５）を巻取り、移動体（９）を上方に引き上げる。尚、既に枠体（１９）内に遊戯者（Ｙ）を収容しているものとする。
【００１９】
ついで、支持解除機構（８）を操作して図２に示すように、係合リング（７）のリング部を開き、係合リング（７）と吊下用部材（１１）との係合を解除する。これにより、移動体（９）はガイドロープ（１３）に沿って下方に落下する。そして、移動体（９）の当接部材（９ａ）が受止手段（１４）の上部部材（１５）に衝突する。受止手段（１４）はバネ（１６）が収縮することにより移動体（９）の落下エネルギを吸収する。これにより、移動体（９）は安定して受止手段（１４）に受け止められる。
【００２０】
以上により、遊戯者（Ｙ）は移動体（９）が自身にぶつかるのではないかという恐怖心を覚え、スリリングな感覚を体感することができる。尚、上述したように、バネ（１６）が最も縮んだときの上部部材（１５）の上端が、少なくとも遊戯者（Ｙ）の身長よりも高くなるように前記受止手段（１４）を設けているので、移動体（９）が遊戯者（Ｙ）に衝突することはなく、遊戯者（Ｙ）にとって安全である。
【００２１】
次に、本発明の実施例１に係る遊戯用設備について図３に基づいて説明する。
【００２２】
図３に示すように、実施例１の遊戯用設備は上述した参考例１のものに比べて、引上手段及び第３の支持手段（２１）の一部構成、移動体（２３）の構成、受止手段（２７）の構成が異なり、更に保持具（２４）を新たに備えている点で異なる。
【００２３】
前記引上手段及び第３の支持手段（２１）は前記参考例１における係合リング（７）及び支持解除機構（８）に代えて電磁石（２２）を備えたものである。電磁石（２２）は電圧をかけたとき電磁力を発生し、電圧をゼロとしたとき無磁力となる。
【００２４】
また、前記移動体（２３）は下部が開口した円筒状部材でなり、少なくとも上面の一部に導通性の良い例えば鉄等の部材を有している。また、受止手段（２７）は輪環状の壁体を２重に設け構成したものであり、当該壁体間に砂（２８）を充填している。尚、前記壁体間に設けて好適なのは、砂（２８）に限られるものではなく、弾性体の粒体, スポンジ等を用いても良い。
【００２５】
また、前記保持具（２４）は図３に示す如く、前記受止手段（２７）の中心部に設けたもので、支持柱（２５）とこれに設けた支持アーム（２６）とからなる。そして支持アーム（２６）に遊戯者（Ｙ）を保持せしめる。
【００２６】
以上の構成を備えた実施例１の遊戯設備によれば、電磁石（２２）に電圧をかけて移動体（２３）の上面を吸着せしめたのち、引上手段及び第３の支持手段（２１）の巻上装置を駆動して移動体（２３）を上方に引き上げる。一方、遊戯者（Ｙ）は保持具（２４）の支持アーム（２６）に保持されている。ついで、電磁石（２２）の電圧を切ると、前記吸着が解除され、移動体（２３）はガイドロープ（１３）に沿って下方に落下する。そして、遊戯者（Ｙ）が移動体（２３）内にすっぽりと収まるとともに、移動体（２３）の下端が受止手段（２７）の砂（２８）に衝突する。砂（２８）は粒状体であるので個々の粒体が移動体（２３）の衝突のエネルギを分散, 吸収する。
【００２７】
以上により、移動体（２３）が受止手段（２７）により安定して受け止められるとともに、遊戯者（Ｙ）は移動体（２３）が自身にぶつかるのではないかという恐怖心を覚え、スリリングな感覚を体感することができる。また、遊戯者（Ｙ）は移動体（２３）の中にすっぽりと収まるので、上記スリル感, 恐怖感は更に大きなものであり、同時に、遊戯者（Ｙ）は自身の視界が遮られるという従来にない特異な感覚を体感することができる。また、移動体（２３）が受止手段（２７）に衝突した際の衝突音が移動体（２３）内に響き, 増幅されるので、音響的な面からも、前記スリル感, 恐怖感が高まる。尚、遊戯者（Ｙ）は保持具（２４）にしっかりと保持されているので安全である。
【００２８】
尚、本例において図４に示すように、移動体（２３）内に風船（２９）を設けることもできる。このように構成すれば、移動体（２３）が落下し、移動体（２３）内に遊戯者（Ｙ）が収まったとき、遊戯者（Ｙ）が風船（２９）に接触し、遊戯者（Ｙ）は更に特異な感覚を体感することができる。また、風船（２９）は弾力性があるので遊戯者（Ｙ）にとって安全であり、風船（２９）が衝突の際に破裂すれば、移動体（２３）内に破裂音が響き、上述した音響的効果が増す。
【００２９】
また、図５に示すように、前記保持具（２４）に代え保護枠体（３０）を設けることも可能である。保護枠体（３０）は移動体（２３）の内部に収まる大きさの枠組（３１）にネット（３２）を設けて構成したものである。そしてこの保護枠体（３０）内に遊戯者（Ｙ）を収容することで遊戯者（Ｙ）の安全が図られる。
【００３０】
また、図６に示すように、移動体（３３）を気球若しくは風船により構成しても良い。この場合には移動体（３３）自体が弾性を有するので特に受止手段（２７）を設ける必要はなく、適当なフロア面で当該移動体（３３）を受け止めるように構成すればよい。また、移動体（３３）が軽すぎて落下速度が上がらない場合には、図示するように移動体（３３）の上部に空気抜き（３４）を設けるか或いは、ウエイトを移動体（３３）に設けて構成すると良い。尚、このように構成すると、移動体（３３）自体の弾力性から遊戯者（Ｙ）にとって安全である。
【００３１】
また、図７に示すように構成しても良い。即ち、移動体（３５）を下部が開口した半球形の枠体で構成し、内部に風船（２９）を配し、ウエイト（３６）を設けるとともに、受止手段（３７）を筒体の中に砂を充填して構成しても良い。
【００３２】
（実施例２）
次に本発明の実施例２に係る遊戯用設備について説明するが、これに先立って、まず、図８及び図９を用い、本発明の一部構成に対応した参考例２に係る遊戯用設備について説明する。図８に示すように、この遊戯用設備は参考例１のものと比べて、第１の支持手段（１）の一部構成、並びに移動体（５１）及び受止手段（５４）の構成が異なり、更に、４組のガイドロープ（１３）及び第２の支持手段（１８）を設けた点で異なる。
【００３３】
前記第１の支持手段（１）は図示する如く、アーム（３）と支持バー（２）とを十字状に設けて構成したものである。そして、４本のガイドロープ（１３）の一端をそれぞれアーム（３）の端部又は支持バー（２）に固設している。
【００３４】
また、前記移動体（５１）は芯材（５２）と湾曲部材（５３）と吊下用部材（１１）とを備えてなる。湾曲部材（５３）は釣り針状をした部材であり、この湾曲部材（５３）複数個を放射状に収束して芯材（５２）の上端部に設け、同部中心に吊下用部材（１１）を設けている。而して、移動体（５１）は全体として錨状の形態を備えている。そして湾曲部材（５３）の外側に係合部（１０）を設けている。尚、図示する如く、芯材（５２）の下端を先鋭に構成している。
【００３５】
前記受止手段（５４）は筒体（５５）と、この筒体（５５）内に充填した砂（５６）とからなり、筒体（５５）を前記芯材（５２）の直下に設けている。
【００３６】
以上の構成を備えた参考例２の遊戯用設備によれば、支持解除機構（８）を解除して移動体（５１）を下方に落下せしめると、図９に示すように、芯材（５２）が受止手段（５４）の筒体（５５）に挿入され、砂（５６）に突き刺さり、当該砂（５６）により衝撃が緩和されて当該移動体（５１）が受止手段（５４）に受け止められる。而して遊戯者（Ｙ）は先端が先鋭である移動体（５１）が自身に衝突するのではないかという恐怖感を覚える。この恐怖感は移動体（５１）の先端が先鋭であることから相当なものとなる。尚、移動体（５１）が落下最下端に至った際に湾曲部材（５３）の先端が遊戯者（Ｙ）に達しないように、芯材（５２）の長さを設定しているので、遊戯者（Ｙ）は安全である。
【００３７】
次に、本発明の実施例２に係る遊戯用設備について図１０に基づいて説明する。図１０に示すように、実施例２の遊戯用設備は上述した参考例２の遊戯用設備において、受止手段（５４）を湾曲部材（５３）の先端及び芯材（５２）の直下にそれぞれ設けたものである。かかる構成の遊戯用設備によれば、移動体（５１）を安定して受け止めることができる。
【００３８】
（実施例３）
また、本発明の実施例３に係る遊戯用設備を図１１に示す。図１１に示すように、実施例３の遊戯用設備は上述した実施例２の遊戯用設備において、前記湾曲部材（５３）の内側に収まる保護枠（５７）と、芯材（５２）に対応する保護枠（５７）とをフロア上に設け、且つ受止手段（５４）の高さを低く設定したものである。このようにすれば、遊戯者（Ｙ）の安全が確保されるとともに、移動体（５１）が落下端に達した際、遊戯者（Ｙ）が湾曲部材（５３）内に収まるので遊戯者（Ｙ）の感じる恐怖感は相当なものとなる。尚、図１２に示すように、芯材（５２）を取り除いた構成としても良い。
【００３９】
以上、本発明の具体的実施例について説明したが、これはあくまでも一例として例示したものであって、本発明の具体的態様がこれに限られるものではないことは言うまでもない。
【図面の簡単な説明】
【図１】        本発明の一実施例たる実施例１の遊戯用設備を示す斜視図である。
【図２】        実施例１の遊戯用設備の作用を説明するための斜視図である。
【図３】        実施例２の遊戯用設備を示す斜視図である。
【図４】        実施例２の変形例を示す斜視図である。
【図５】        実施例２の変形例を示す斜視図である。
【図６】        実施例２の変形例を示す斜視図である。
【図７】        実施例２の変形例を示す斜視図である。
【図８】        実施例３の遊戯用設備を示す斜視図である。
【図９】        実施例３の遊戯用設備の作用説明するための斜視図である。
【図１０】        実施例３の変形例を示す斜視図である。
【図１１】        実施例３の変形例を示す斜視図である。
【図１２】        実施例３の変形例を示す斜視図である。
【符号の説明】
１  第１の支持手段
２  支持バー
３  アーム
４  引上手段及び第３の支持手段
５  引上ロープ
６  滑車
７  係合リング
８  支持解除機構
９  移動体
１０  係合部
１１  吊下用部材
１２  突起
１３  ガイドロープ
１４  受止手段
１５  上部部材
１６  バネ
１７  下部部材
１８  第２の支持手段
１９  枠体
２１  引上手段及び第３の支持手段
２２  電磁石
２３  移動体
２４  保持具
２５  支持柱
２６  支持アーム
２７  受止手段
２８  砂
２９  風船
３０  保護枠体
３１  枠組
３２  ネット
３３  移動体
３４  空気抜き
３５  移動体
３６  ウエイト
５１  移動体
５２  芯材
５３  湾曲部材
５４  受止手段
５５  筒体
５６  砂
５７  保護枠
【図１】
0003742123.tif 000002
【図２】
0003742123.tif 000003
【図３】
0003742123.tif 000004
【図４】
0003742123.tif 000005
【図５】
0003742123.tif 000006
【図６】
0003742123.tif 000007
【図７】
0003742123.tif 000008
【図８】
0003742123.tif 000009
【図９】
0003742123.tif 000010
【図１０】
0003742123.tif 000011
【図１１】
0003742123.tif 000012
【図１２】
0003742123.tif 000013